【手続補正書】
【提出日】令和3年2月15日(2021.2.15)
【手続補正１】
【補正対象書類名】明細書
【補正対象項目名】発明の名称
【補正方法】変更
【補正の内容】
【発明の名称】画像形成装置及びその制御方法
【手続補正２】
【補正対象書類名】明細書
【補正対象項目名】０００１
【補正方法】変更
【補正の内容】
【０００１】
本発明は、画像形成装置及びその制御方法に関する。
【手続補正３】
【補正対象書類名】明細書
【補正対象項目名】０００７
【補正方法】変更
【補正の内容】
【０００７】
本発明の目的は、印刷処理が実行されないことを防止することができる画像形成装置及びその制御方法を提供することにある。
【手続補正４】
【補正対象書類名】明細書
【補正対象項目名】０００８
【補正方法】変更
【補正の内容】
【０００８】
上記目的を達成するために、本発明の画像形成装置は、記録媒体を格納する格納手段と、前記格納手段に格納された前記記録媒体の種別を特定するための指示であって印刷を要求しない指示を受け取ったことに基づいて、前記格納手段から搬送された前記記録媒体の種別を特定する特定手段と、前記特定された記録媒体の種別を前記格納された記録媒体の種別として設定する設定手段とを有することを特徴とする。
【手続補正５】
【補正対象書類名】特許請求の範囲
【補正対象項目名】全文
【補正方法】変更
【補正の内容】
【特許請求の範囲】
【請求項１】
記録媒体を格納する格納手段と、
前記格納手段に格納された前記記録媒体の種別を特定するための指示であって印刷を要求しない指示を受け取ったことに基づいて、前記格納手段から搬送された前記記録媒体の種別を特定する特定手段と、
前記特定された記録媒体の種別を前記格納された記録媒体の種別として設定する設定手段とを有することを特徴とする画像形成装置。
【請求項２】
記録媒体を格納する格納手段と、
前記格納手段に格納された前記記録媒体の種別を特定するための指示であって印刷を要求しない指示を受け取ったことに基づいて、前記格納手段から搬送された前記記録媒体の種別を特定する特定手段と、
前記特定された記録媒体の種別に基づいて、前記格納された記録媒体の種別を設定する設定手段とを有することを特徴とする画像形成装置。
【請求項３】
印刷手段をさらに有し、
前記印刷手段は、前記記録媒体を特定するための搬送とは別に搬送された前記記録媒体に、前記設定手段が設定した前記記録媒体の種別を用いて画像を印刷することを特徴とする請求項１または２に記載の画像形成装置。
【請求項４】
印刷手段と、
記録媒体を格納する格納手段と、
前記格納手段から搬送された記録媒体の種別を特定する特定手段と、
前記特定された記録媒体の種別を前記格納された記録媒体の種別として設定する設定手段と有し、
前記特定手段が記録媒体の種別を特定するために搬送された記録媒体には、前記印刷手段は画像を印刷しないことを特徴とする画像形成装置。
【請求項５】
印刷手段と、
記録媒体を格納する格納手段と、
前記格納手段から搬送された記録媒体の種別を特定する特定手段と、
前記特定された記録媒体の種別に基づいて、前記格納された記録媒体の種別を設定する設定手段と有し、
前記特定手段が記録媒体の種別を特定するために搬送された記録媒体には、前記印刷手段は画像を印刷しないことを特徴とする画像形成装置。
【請求項６】
前記印刷手段は、前記記録媒体を特定するための搬送とは別に搬送された前記記録媒体に、前記設定手段が設定した前記記録媒体の種別を用いて画像を印刷することを特徴とする請求項４または５に記載の画像形成装置。
【請求項７】
前記特定手段は、前記搬送された記録媒体のサイズとは異なる種別であって、前記搬送された記録媒体の種別を特定することを特徴とする請求項１乃至６のいずれか１項に記載の画像形成装置。
【請求項８】
前記記録媒体の種別を特定するために搬送された記録媒体は、前記画像形成装置の外部に排出されることを特徴とする請求項１乃至７のいずれか１項に記載の画像形成装置。
【請求項９】
前記特定手段は、前記格納手段が閉じられたことに応じて記録媒体を搬送することを特徴とする請求項１乃至８のいずれか１項に記載の画像形成装置。
【請求項１０】
前記特定手段は、前記格納手段が閉じられた後、一定の時間が経過したことに応じて記録媒体を搬送することを特徴とする請求項１乃至８のいずれか１項に記載の画像形成装置。
【請求項１１】
前記格納手段から搬送された記録媒体の情報を検出する検出手段をさらに有し、
前記特定手段は、前記検出された情報に基づいて前記記録媒体の種別を特定することを特徴とする請求項１乃至１０のいずれか１項に記載の画像形成装置。
【請求項１２】
前記情報は、前記記録媒体のサイズ、平滑性、反射光量、透過光量の少なくとも１つを含むことを特徴とする請求項１１に記載の画像形成装置。
【請求項１３】
記録媒体を格納する格納手段と、
前記格納手段から搬送された複数枚の前記記録媒体の情報に基づいて、前記格納手段に格納されている前記記録媒体の種別を特定する特定手段と、
前記特定された記録媒体の種別を前記格納手段に格納された記録媒体の種別として設定する設定手段とを有することを特徴とする画像形成装置。
【請求項１４】
記録媒体を格納する格納手段と、
前記格納手段から搬送された複数枚の前記記録媒体の情報に基づいて、前記格納手段に格納されている前記記録媒体の種別を特定する特定手段と、
前記特定された記録媒体の種別に基づいて、前記格納手段に格納された記録媒体の種別を設定する設定手段とを有することを特徴とする画像形成装置。
【請求項１５】
印刷手段をさらに有し、
前記印刷手段は、前記記録媒体を特定するための搬送とは別に搬送された前記記録媒体に、前記設定手段が設定した前記記録媒体の種別を用いて画像を印刷することを特徴とする請求項１３または１４に記載の画像形成装置。
【請求項１６】
前記特定手段は、前記格納手段に格納された前記記録媒体の種別を特定するための指示であって印刷を要求しない指示を受け取ったことに基づいて、前記記録媒体の種別を特定することを特徴とする請求項１３乃至１５のいずれか１項に記載の画像形成装置。
【請求項１７】
前記特定手段は、前記搬送された記録媒体のサイズとは異なる種別であって、前記搬送された記録媒体の種別を特定することを特徴とする請求項１３乃至１６のいずれか１項に記載の画像形成装置。
【請求項１８】
前記記録媒体の種別を特定するために搬送された記録媒体は、前記画像形成装置の外部に排出されることを特徴とする請求項１３乃至１７のいずれか1項に記載の画像形成装置。
【請求項１９】
前記特定手段は、前記格納手段が閉じられたことに応じて記録媒体を搬送することを特徴とする請求項１３乃至１８のいずれか１項に記載の画像形成装置。
【請求項２０】
前記特定手段は、前記格納手段が閉じられた後、一定の時間が経過したことに応じて記録媒体を搬送することを特徴とする請求項１３乃至１８のいずれか１項に記載の画像形成装置。
【請求項２１】
前記格納手段から搬送された記録媒体の情報を検出する検出手段をさらに有し、
前記特定手段は、前記検出された情報に基づいて前記記録媒体の種別を特定することを特徴とする請求項１３乃至２０のいずれか１項に記載の画像形成装置。
【請求項２２】
前記情報は、前記記録媒体のサイズ、平滑性、反射光量、透過光量の少なくとも１つを含むことを特徴とする請求項２１に記載の画像形成装置。
【請求項２３】
記録媒体を格納する格納手段を有する画像形成装置の制御方法であって、
前記格納手段に格納された前記記録媒体の種別を特定するための指示であって印刷を要求しない指示を受け取ったことに基づいて、前記格納手段から搬送された前記記録媒体の種別を特定する特定工程と、
前記特定された記録媒体の種別を前記格納された記録媒体の種別として設定する設定工程とを有することを特徴とする画像形成装置の制御方法。
【請求項２４】
記録媒体を格納する格納手段を有する画像形成装置の制御方法であって、
前記格納手段に格納された前記記録媒体の種別を特定するための指示であって印刷を要求しない指示を受け取ったことに基づいて、前記格納手段から搬送された前記記録媒体の種別を特定する特定工程と、
前記特定された記録媒体の種別に基づいて、前記格納された記録媒体の種別を設定する設定工程とを有することを特徴とする画像形成装置の制御方法。
【請求項２５】
印刷手段と、記録媒体を格納する格納手段とを有する画像形成装置の制御方法であって、
前記格納手段から搬送された記録媒体の種別を特定する特定工程と、
前記特定された記録媒体の種別を前記格納された記録媒体の種別として設定する設定工程と有し、
前記特定工程で記録媒体の種別を特定するために搬送された記録媒体には、前記印刷手段は画像を印刷しないことを特徴とする画像形成装置の制御方法。
【請求項２６】
印刷手段と、記録媒体を格納する格納手段とを有する画像形成装置の制御方法であって、
前記格納手段から搬送された記録媒体の種別を特定する特定工程と、
前記特定された記録媒体の種別に基づいて、前記格納された記録媒体の種別を設定する設定工程と有し、
前記特定工程で記録媒体の種別を特定するために搬送された記録媒体には、前記印刷手段は画像を印刷しないことを特徴とする画像形成装置の制御方法。
【請求項２７】
記録媒体を格納する格納手段を有する画像形成装置の制御方法であって、
前記格納手段から搬送された複数枚の前記記録媒体の情報に基づいて、前記格納手段に格納されている前記記録媒体の種別を特定する特定工程と、
前記特定された記録媒体の種別を前記格納手段に格納された記録媒体の種別として設定する設定工程とを有することを特徴とする画像形成装置の制御方法。
【請求項２８】
記録媒体を格納する格納手段を有する画像形成装置の制御方法であって、
前記格納手段から搬送された複数枚の前記記録媒体の情報に基づいて、前記格納手段に格納されている前記記録媒体の種別を特定する特定工程と、
前記特定された記録媒体の種別に基づいて、前記格納手段に格納された記録媒体の種別を設定する設定工程とを有することを特徴とする画像形成装置の制御方法。